(57)【特許請求の範囲】
【請求項１】
手元側からの遠隔操作によって嘴状に開閉自在にシースの先端に設けられた一対の電極のうち、一方の電極と他方の電極が高周波電源のあい異なる出力端に接続された内視鏡用バイポーラ型高周波処置具において、
上記一対の電極を支持するために上記シースの先端部分に設けられた電気絶縁材からなる支持本体に、上記一対の電極を個別に回転自在に支持する二つの支軸を互いの間の間隔をあけて平行に設けると共に、上記一対の電極間を電気的に絶縁するための電気絶縁材よりなる絶縁スペーサを他の部材と固着することなく単独で独立して設けて、上記二つの支軸を上記絶縁スペーサに形成された二つの孔に通し、それのみによって上記絶縁スペーサを上記二つの支軸以外の部材と連結することなく上記支持本体内で移動しない状態に保持したことを特徴とする内視鏡用バイポーラ型高周波処置具。
【請求項２】
上記支持本体に先端側に開口するスリットが形成されていて、上記二つの支軸が、上記支持本体の軸線を間に挟んでその両側に離れた位置において各々上記スリットを横断する状態に設けられている請求項１記載の内視鏡用バイポーラ型高周波処置具。
【発明の詳細な説明】
【０００１】
【発明の属する技術分野】
この発明は、先端部分に正極と負極の両電極が設けられて内視鏡の処置具挿通チャンネルに挿脱して使用される内視鏡用バイポーラ型高周波処置具に関する。
【０００２】
【従来の技術】
内視鏡用高周波処置具は一般に、電極が一個のいわゆるモノポーラ型が普通であり、もう一つの電極となる対極板が患者の体表面に接触配置されている。
【０００３】
しかし、そのようなモノポーラ型の高周波処置具では、電極と対極板との間の患者の身体を導電体として高周波電流が流れるので、万一患者が他の導電体に触れていると高周波電流がその導電体を伝わって漏れることにより、処置に有効に利用される電流が減少してしまったり、術者やその周辺の人が火傷をする危険性がある。
【０００４】
そこで、例えば特開２０００−２７１１２８等に示されるように、手元側からの遠隔操作によって嘴状に開閉自在にシースの先端に設けられた一対の電極のうち、一方を高周波電源の正極に接続し、他方を負極に接続した内視鏡用バイポーラ型高周波処置具がある。
【０００５】
このようなバイポーラ型高周波処置具では、嘴状に開閉される一対の電極の間を電気的に絶縁する必要があるので、上述の特開２０００−２７１１２８に記載されたものでは、電極の基材を電気絶縁性のプラスチックや陶磁器等で形成して、その表面に部分的に導電性金属皮膜を蒸着させた構造をとっている。
【０００６】
【発明が解決しようとする課題】
しかし、嘴状に開閉自在する電極を非金属材料で形成すると強度不足のため作動不良になったり壊れ易く、また、そのような部材に導電性金属皮膜が蒸着されている構造では、使用中に内視鏡の部材等と擦れ合うことによって導電性金属皮膜が電極から剥がれてしまう場合もあり、実用性に乏しかった。
【０００７】
そこで本発明は、使用を繰り返しても作動が良好で壊れ難く、十分な耐久性を得ることができる実用性の高い内視鏡用バイポーラ型高周波処置具を提供することを目的とする。
【０００８】
【課題を解決するための手段】
上記の目的を達成するため、本発明の内視鏡用バイポーラ型高周波処置具は、手元側からの遠隔操作によって嘴状に開閉自在にシースの先端に設けられた一対の電極のうち、一方の電極と他方の電極が高周波電源のあい異なる出力端に接続された内視鏡用バイポーラ型高周波処置具において、一対の電極を支持するためにシースの先端部分に設けられた電気絶縁材からなる支持本体に、一対の電極を個別に回転自在に支持する二つの支軸を互いの間の間隔をあけて平行に設けると共に、一対の電極間を電気的に絶縁するための電気絶縁材よりなる絶縁スペーサを他の部材と固着することなく単独で独立して設けて、二つの支軸を絶縁スペーサに形成された二つの孔に通し、それのみによって絶縁スペーサを二つの支軸以外の部材と連結することなく支持本体内で移動しない状態に保持したものである。
【０００９】
なお、支持本体に先端側に開口するスリットが形成されていて、二つの支軸が、支持本体の軸線を間に挟んでその両側に離れた位置において各々スリットを横断する状態に設けられていてもよい。
【００１０】
【発明の実施の形態】
図面を参照して本発明の実施例を説明する。
図２は本発明の実施例の内視鏡用バイポーラ型高周波処置具の先端部分の斜視図であり、図３はその側面部分断面図、図４は平面断面図である。ただし、図３及び図４においては、各々断面位置が相違する複数の部分を一つの図面に図示してある。
【００１１】
１は、図示されてない内視鏡の処置具挿通チャンネルに挿脱される、直径が２〜３ｍｍ程度で長さが１〜２ｍ程度の可撓性シースであり、例えば四フッ化エチレン樹脂チューブ等のような電気絶縁性のチューブによって形成されている。
【００１２】
可撓性シース１の先端には、電気絶縁性の例えば硬質プラスチック又はセラミック等からなる支持本体２が連結固着されており、その支持本体２には、先側に開口するスリット３が一定の幅で形成されている。
【００１３】
スリット３の先端部分には、支持本体２の中心軸線を挟んでその両側に離れた位置において各々スリット３を横断する状態に、ステンレス鋼棒製の二つの支軸５が平行に固着されている。
【００１４】
そして、ステンレス鋼等のような導電性金属からなる一対の嘴状電極４が、嘴状に開閉自在に二つの支軸５によって互いに独立して支持本体２に支持されている。９は、支軸５が回転自在に嵌合するように嘴状電極４に形成された回転支持孔である。なお、図３においては、嘴状電極４が閉じている状態が実線で示され、開いた状態が二点鎖線で示されている。
【００１５】
この実施例の嘴状電極４の嘴状に開閉する部分は、高周波処置具の先端部分の分解斜視図である図１にも示されるように、開口部どうしが対向するカップ状に形成されている。ただし、腕状その他どの様な形状であっても差し支えない。
【００１６】
図２ないし図４に戻って、スリット３の先端部分内には、一対の嘴状電極４の間を電気的に絶縁するための絶縁スペーサ６が、両嘴状電極４の間に位置するように配置されている。
【００１７】
各嘴状電極４の後方部分は、回転支持孔９より後方に駆動腕部４ａが一体に延出形成されており、その突端近傍に形成された通孔７に、二本の導電線８の先端が通されて連結されている。
【００１８】
各導電線８は、電気絶縁被覆が全長にわたって施されており、先端部分においてだけ露出した導線８ａが、各々嘴状電極４に接触する状態で通孔７に係合している。
【００１９】
二本の導電線８は、軸線方向に進退自在に可撓性シース１内に全長にわたって挿通配置されていて、図８に示されるように、可撓性シース１の基端に連結された操作部１０において操作輪１１により軸線方向に進退操作される。
【００２０】
したがって、導電線８は嘴状電極４を遠隔操作によって開閉させるための操作ワイヤとしても機能しており、可撓性シース１内においては二本の導電線８を一体的に結束しておくとよい。
【００２１】
二本の導電線８の基端部は、操作部１０において高周波電源２０のあい異なる出力端（電源コード）に分かれて接続されており、高周波電源２０をオンすることによって、一対の嘴状電極４の一方の電極と他方の電極が高周波電流のあい異なる極になる。
【００２２】
図５に単体で図示されている絶縁スペーサ６は、例えば硬質の四フッ化エチレン樹脂又は他のプラスチック或いはセラミック等の材料からなる一つの部品で形成されていて、二本の支軸５が通される支持孔６ａが左右方向に平行に貫通穿設され、左右両側面には互いに食い違った位置を略半部ずつ凹ませて電極通過部６ｂが形成されている。
【００２３】
そして、図３におけるVI−VI断面を図示する図６と、その斜視断面を図示する図７、及びその部分の分解斜視図である前出の図１に示されるように、絶縁スペーサ６の各支持孔６ａには支軸５が通されており、それによって絶縁スペーサ６が支持本体２のスリット３内に安定して保持された状態になっている。したがって、この部分の組み立ては非常に容易である。
【００２４】
また、絶縁スペーサ６の左右両面に凹んで形成された電極通過部６ｂには、一対の嘴状電極４の回転支持孔９の周辺部分（駆動腕部４ａの基部）が固定されない状態に嵌め込まれていて、各嘴状電極４が回転支持孔９に通された支軸５を中心にして回転自在に支持されている。
【００２５】
したがって、嘴状電極４を閉じるための力が絶縁スペーサ６にほとんど作用しないので、使用を繰り返しても絶縁スペーサ６等が破損し難くて優れた耐久性を得ることができる。
【００２６】
また、一対の嘴状電極４は、閉じた状態のときに当接し合う以外は、お互いが絶縁スペーサ６によって電気的に完全に隔離された状態で各支軸５を中心に回動し、支持本体２に不規則な外力等が作用しても嘴状電極４の開閉動作が妨げられない。
【００２７】
このように構成された内視鏡用バイポーラ型高周波処置具は、一対の嘴状電極４を開いてその間に粘膜を挟み、嘴状電極４を閉じながら高周波電流を通電することにより、一対の嘴状電極４の間に位置する生体組織に高周波電流が流れて、粘膜の焼灼凝固等を行うことができる。
【００２８】
そして、一対の嘴状電極４の間に位置する生体組織以外の部分には高周波電流が流れないので、嘴状電極４に通電したままの状態で処置を進めても周辺の生体組織が破壊されない。
【００２９】
【発明の効果】
本発明によれば、嘴状に開閉する一対の電極を回転自在に支持する二つの支軸を、電極間を電気的に絶縁する絶縁スぺーサに形成された二つの孔に通すことによって絶縁スペーサが保持される構造をとったことにより、電極を閉じる力が絶縁スペーサにかからないので使用を繰り返しても作動が良好で壊れ難く、しかも部品コスト、組み立てコストがかからない優れた効果を有する。
【図面の簡単な説明】
【図１】本発明の実施例の内視鏡用バイポーラ型高周波処置具の先端部分の分解斜視図である。
【図２】本発明の実施例の内視鏡用バイポーラ型高周波処置具の先端部分の斜視図である。
【図３】本発明の実施例の内視鏡用バイポーラ型高周波処置具の先端部分の側面複合断面図である。
【図４】本発明の実施例の内視鏡用バイポーラ型高周波処置具の先端部分の平面複合断面図である。
【図５】本発明の実施例の内視鏡用バイポーラ型高周波処置具の絶縁スペーサの単体斜視図である。
【図６】本発明の実施例の内視鏡用バイポーラ型高周波処置具の図３におけるVI−VI断面図である。
【図７】本発明の実施例の内視鏡用バイポーラ型高周波処置具の図６に示される断面部分の斜視図である。
【図８】本発明の実施例の内視鏡用バイポーラ型高周波処置具の全体構成図である。
【符号の説明】
１  可撓性シース
２  支持本体
４  嘴状電極
４ａ  駆動腕部
５  支軸
６  絶縁スペーサ
６ａ  支持孔
６ｂ  電極通過部
８  導電線
９  回転支持孔
【図１】
0004321842.tif 000002
【図２】
0004321842.tif 000003
【図３】
0004321842.tif 000004
【図４】
0004321842.tif 000005
【図５】
0004321842.tif 000006
【図６】
0004321842.tif 000007
【図７】
0004321842.tif 000008
【図８】
0004321842.tif 000009